(57)【要約】【課題】戸建て、集合住宅等のバルコニーやベランダに於いて太陽光発電が可能であると共に、ベランダ用またはフェンス用手摺として使用可能であり、且つ、施工またはメンテナンスにおける利便性の向上が可能な太陽電池パネルを備えたベランダ用手摺を提供する。【解決手段】太陽電池パネル１１及び太陽電池パネル１１を支持するフレーム１２を有する手摺パネル１と、手摺パネル１を側部で取り外し可能に支持する複数の支柱２と、支柱２に取り付けられた手摺パイプ３と、を備え、少なくとも手摺パネル１のフレームと支柱２の主要部がアルミ合金からなり、支柱２が中空部分を有し、手摺パネル１が透光パネルからなり、少なくとも一部が太陽光を透過可能となっている構成を有している。【選択図】図１
2010203217.tif 000002
【特許請求の範囲】
【請求項１】
太陽電池パネル及び前記太陽電池パネルを支持するフレームを有する手摺パネルと、前記手摺パネルを側部で取り外し可能に支持する複数の支柱と、前記支柱に取り付けられた手摺パイプと、を備えることを特徴とする、ベランダ用手摺。
【請求項２】
太陽電池パネル及び前記太陽電池パネルを支持するフレームを有する手摺パネルと、前記手摺パネルの左右側方から前記手摺パネルの左右側部を支持する左右支柱と、前記手摺パネルの上方に配置され、前記左右支柱の上部に架設される手摺パイプとを備えることを特徴とするベランダ用手摺。
【請求項３】
少なくとも前記手摺パネルのフレームと前記支柱の主要部が、アルミ合金からなることを特徴とする、請求項１または２に記載のベランダ用手摺。
【請求項４】
前記支柱は、中空部分を有することを特徴とする、請求項１乃至３のうちいずれか一に記載のベランダ用手摺。
【請求項５】
前記手摺パネルは、少なくとも一部が太陽光を透過可能となっていることを特徴とする請求項１乃至４のうちいずれか一に記載のベランダ用手摺。
【発明の詳細な説明】
【技術分野】
【０００１】
本発明は、戸建て、集合住宅等のバルコニーやベランダに使用可能な太陽電池パネルを備えたベランダ用手摺に関する。
【背景技術】
【０００２】
近年、環境問題が全世界的に取り上げられ、自然環境を破壊せずにエネルギーを作り出
すことが可能な太陽電池が注目されている。これまで、太陽電池パネルを屋上に取り付ける技術が、報道等を介して周知となっている（例えば、特許文献１参照。）。しかしながら、太陽電池パネルを屋上に取り付ける場合、支持するための屋根への工事が大規模になると共に手入れに手間がかかり、危険も少なくない。
【０００３】
そのため、太陽電池パネルをバルコニーまたはベランダの手摺壁に設ける技術も、知られている（例えば、特許文献２参照。）。特許文献２に記載の太陽電池付バルコニーでは、外側の太陽電池パネルと内側の手摺裏板とが離れて対向し、これらと手摺カバー及び取付板とによって形成される空間内で配線やコネクタの配置等が可能となっている。
【先行技術文献】
【特許文献】
【０００４】
【特許文献１】特開平０９−０９６０７１号公報
【特許文献２】特開２００２−３２２７８３号公報
【発明の概要】
【発明が解決しようとする課題】
【０００５】
しかしながら、従来のベランダ用手摺では、手摺りが大型化してしまうという問題を有していた。そのため、施工に労力、費用等が嵩むこととなっていた。また、大掛かりな作り付けの手摺りとならざるを得ず、交換等のメンテナンスに手間取ることとなっていた。また、光が外側側方から通路側に入り込むことができず、手摺付近の床部分が暗くなっていた。
【０００６】
以上の現状に鑑み、本発明は、戸建て、集合住宅等のバルコニーやベランダに於いて太陽光発電が可能であると共に、ベランダ用またはフェンス用手摺として使用可能であり、且つ、施工またはメンテナンスにおける利便性の向上が可能な太陽電池パネルを備えたベランダ用手摺を提供することを目的とする。
また、本発明は、前記目的に加え、コンパクト化と軽量化が図れる太陽電池パネルを備えたベランダ用手摺を提供することを目的とする。
【課題を解決するための手段】
【０００７】
上記の課題を解決すべく、本発明は以下の構成を提供する。
請求項１に係る発明は、太陽電池パネル及び前記太陽電池パネルを支持するフレームを
有する手摺パネルと、前記手摺パネルを側部で取り外し可能に支持する複数の支柱と、前
記支柱に取り付けられた手摺パイプと、を備えることを特徴とする。
【０００８】
請求項２に係る発明は、太陽電池パネル及び前記太陽電池パネルを支持するフレームを有する手摺パネルと、前記手摺パネルの左右側方から前記手摺パネルの左右側部を支持する左右支柱と、前記手摺パネルの上方に配置され、前記左右支柱の上部に架設される手摺パイプと、を備えることを特徴とする。
【０００９】
請求項３に係る発明は、請求項１または２に記載のベランダ用手摺において、少なくとも前記手摺パネルのフレームと前記支柱の主要部が、アルミ合金からなることを特徴とする。
【００１０】
請求項４に係る発明は、請求項１乃至３のうちいずれか一に記載のベランダ用手摺において、前記支柱が中空部分を有することを特徴とする。
【００１１】
請求項５に係る発明は、請求項１乃至４のいずれか一に記載のベランダ用手摺において、前記手摺パネルは、少なくとも一部が太陽光を透過可能となっていることを特徴とする。
【発明の効果】
【００１２】
本発明の請求項１記載の発明によれば、太陽電池パネル及び太陽電池パネルを支持するフレームを有する手摺パネルと、手摺パネルを側部で取り外し可能に支持する複数の支柱と、支柱に取り付けられた手摺パイプと、を備えるため、戸建て、集合住宅等のバルコニーやベランダに於いて太陽光発電が可能であると共に、ベランダ用またはフェンス用手摺として使用可能であり、且つ、施工またはメンテナンスにおける利便性の向上が可能な太陽電池パネルを備えたベランダ用手摺を提供することができる。
【００１３】
請求項２記載の発明によれば、請求項１記載の発明の効果に加え、コンパクト化と軽量化が図れる太陽電池パネルを備えたベランダ用手摺を提供することができる。
【００１４】
請求項３記載の発明によれば、請求項１または２記載の発明の効果に加え、少なくとも手摺パネルのフレームと支柱の主要部が、アルミ合金からなるため、より軽量化が図られ、もってさらに施工またはメンテナンスにおける利便性の向上ができる。
【００１５】
請求項４記載の発明によれば、請求項１乃至３のうちいずれか一に記載の発明の効果に加え、支柱が中空部分を有するため、より軽量化が図られ、もってさらに施工またはメンテナンスにおける利便性の向上ができる。
【００１６】
請求項５記載の発明によれば、請求項１乃至４のうちいずれか一に記載の発明の効果に加え、手摺パネルの少なくとも一部が太陽光を透過可能となっているため、外からは目隠しとして機能しつつ従来暗くなっていた手摺付近の床部分を明るくすることができる。
【図面の簡単な説明】
【００１７】
【図１】（ａ）本発明の実施例１に係るベランダ用手摺の一部正面図である。（ｂ）前図（ａ）のＡ−Ａ線断面図である。（ｃ）前図（ａ）のＢ−Ｂ線断面図である。（ｄ）本発明の実施例１に係るベランダ用手摺の模式的配線図である。
【図２】本発明の実施例１に係るベランダ用手摺の通路側から見た斜視図である。
【図３】本発明の実施例１に係るベランダ用手摺の外側から見た斜視図である。
【図４】（ａ）前図１（ｂ）のＷ−Ｗ’で示す端部近傍の断面図である。（ｂ）前図１（ｂ）のＸ−Ｘ’で示す端部近傍の断面図である。（ｃ）前図１（ａ）のＹ−Ｙ’で示す端部近傍の正面図である。（ｄ）前図１（ｃ）のＺ−Ｚ’で示す端部近傍の断面図である。
【図５】（ａ）本発明の実施例２に係るベランダ用手摺の正面図である。（ｂ）前図（ａ）のＣ−Ｃ線断面図である。（ｃ）前図（ａ）のＤ−Ｄ線断面図である。（ｄ）本発明の実施例２に係るベランダ用手摺の模式的配線図である。
【発明を実施するための形態】
【００１８】
以下、実施例を示した図面を参照しつつ本発明の実施の形態について説明する。
【実施例１】
【００１９】
まず、本発明の実施例１に係るベランダ用手摺について説明する。
図１（ａ）は、本発明の実施例１に係るベランダ用手摺の一部正面図である。同図（ｂ）は、前図（ａ）のＡ−Ａ線断面図である。同図（ｃ）は、前図（ａ）のＢ−Ｂ線断面図である。同図（ｄ）は、本発明の実施例１に係るベランダ用手摺の模式的配線図である。
本発明の実施例１に係るベランダ用手摺は、図１（ａ）に示すように、太陽電池パネル１１とこれのフレーム１２を有する手摺パネル１と、手摺パネル１を側部で支持する一対の支柱２と、支柱２の上部に取り付けられた手摺パイプ３とを備える。
【００２０】
図２は本発明によるベランダ用手摺の通路側から見た斜視図であり、図３は本発明によるベランダ用手摺の外側から見た斜視図である。なお、本発明はバルコニー、屋上のフェンス等にも同様に適用できるため、ベランダは、バルコニー及び屋上のフェンス等をも含むものとする。また、以下では、支柱２、手摺パイプ等の重量の増大に大きく影響する部分は、所定のアルミ合金、樹脂等によって、軽量化が図られている。
【００２１】
太陽電池パネル１１は、図１に示すように、透光性パネル１１ａと太陽電池アレイ部１１ｂとを有し、透光性パネル１１ａ内に太陽電池アレイ部１１ｂを挟持して収容するように構成されている。透光性パネル１１ａは、例えば、複数の強化ガラスまたは複数の強化ガラスとフィルムとの組合せからなる。ただし、ポリカーボネート（ＰＣ）等の構造材として使用可能なその他の樹脂が組み合わされるのでも、これらの樹脂からなるのでもよい。
【００２２】
太陽電池アレイ部１１ｂは市販のシリコン系素子等からなる太陽電池素子１１ｄを直並列に接続してなり、太陽電池素子１１ｄ間の電気的接続は透明電極１１ｅを介して行われる。図１（ｄ）には、両側のパネル１１ｇ内で、太陽電池素子１１ｄが透明電極１１ｅを介して直列に接続され、コネクタ１１ｆ側に電気的に接続される例が示されている。このように構成される太陽電池アレイ部１１ｂは、透光性パネル１１ａをなすパネルのうちの内側の少なくとも２枚のパネルの間に密閉され、ユニットとして構成されている。その結果、このユニットは、他の外側のパネルから分離可能であり、交換可能となっている。反射率の低減防止等の技術に関しては、公知であるため更なる説明を省略する。
【００２３】
太陽電池からの電力取出は、フレーム１２寄りの部分で行われ、少なくともフレーム１２までは透明電極１１ｃを介して行われ、フレーム１２内ではコネクタ付き被覆導線等の導線を介して行われる。このために、フレーム１２内には、このコネクタが差し込まれ導線が電気的に接続されるソケット１２ｉが設けられ、ソケット１２ｉからは出力導線を介して左右に電力が出力可能となっている。ソケット１２ｉからの出力導線には端部にコネクタが設けられて、後段の電気回路への接続が容易になっている。
【００２４】
フレーム１２は、太陽電池パネル１１を保持するパネル保持部１２ａと、パネル保持部１２ａの端面を外側から被うまたは塞ぐ化粧プレート１２ｂと、を有する。フレーム１２にはまた、支柱２側に支柱２に固定するための１対の支柱固定ブラケット１２ｃが左右の側面に設けられている。このように構成することによって、手摺パネル１が支柱２から取外し可能となり、もって施工とメンテナンスにおける利便性の向上が図られている。
【００２５】
図４（ａ）は、前図１（ｂ）のＷ−Ｗ’で示す端部近傍の断面図である。図４（ｂ）は、前図１（ｂ）のＸ−Ｘ’で示す端部近傍の断面図である。図４（ｃ）は、前図１（ａ）のＹ−Ｙ’で示す端部近傍の正面図である。図４（ｄ）は、前図１（ｃ）のＺ−Ｚ’で示す端部近傍の断面図である。パネル保持部１２ａは左右対称に構成され、施工とメンテナンスにおける利便性の向上のために、各辺をなす部分が相互に分離可能な保持ユニット１２ｄからなる。上下の保持ユニット１２ｄは図４（ａ）〜（ｄ）に示すように、上下の保持ユニット１２ｄと左右の保持ユニット１２ｄとが接する部分に連結機構１２ｅが設けられている。荷重を支持できるように強固に固定するため、図４（ａ）から分かるように、連結機構１２ｅの対応する位置には、外部で保持ユニット１２ｄに強固に固定され内部でボルト１２ｆと係合する所謂インサート１２ｇが埋め込まれて設けられている。横方向に関しては、図１及び図４からわかるように、保持ユニット１２ｄは、各端部で化粧プレート１２ｂをも貫通する複数のネジ１２ｈを介して相互に固定されている。
【００２６】
太陽電池パネル１１は保持ユニットに四方の端部が保持され、保持ユニット１２ｄは太陽電池パネル１１を収容した状態でそれぞれ連結機構１２ｅを介して上下方向と横方向にネジ固定される。ネジは、図４（ａ）〜（ｃ）に示されているように、それぞれの方向に２本ずつ配置され、互いの方向でネジの配置方向が直交している。また、各保持ユニット１２ｄは、太陽電池パネル１１が破損しないように、太陽電池パネル１１を挟持する部分に弾性を実現可能な部材を有する。
【００２７】
支柱２は、手摺パネル１よりも下方に伸びていて、建物から突き出してベランダの床をなすベランダ床部に突き立て可能になっている。また、支柱２には、図１に示すように、手摺パネル１を支持する一対のパネル支持ブラケット２１が、着脱可能に設けられている。パネル支持ブラケット２１は、複数の固定用ネジ２１ａを介して支柱２に強固に固定されている。
【００２８】
例えば図１（ｂ）等からわかるように、支柱固定ブラケット１２ｃとパネル支持ブラケット２１とは、例えばボルトナット２１ｂを介し複数個所でネジ固定され、手摺パネル１を支持固定可能となっている。固定は、左右それぞれの上下の位置で行われる。
【００２９】
手摺パイプ３は、手載部３１と、手載部３１と支柱２との間に位置する傾斜連結部３２と、手載部３１を強度的に補強しつつ連結部３２に固定する手載固定部３３と、を有する。手載部３１は、図１（ｂ）に示すように、平板を曲げて得られる形状を有し、手載固定部３３を内部に収容可能となっている。手載部３１は、また、各端部を被うまたは塞ぐキャップ３１ａを有する。
【００３０】
傾斜連結部３２は、図１（ｂ）に示すように、横方向に中空の構造を有し軽量化が図られている。また、傾斜連結部３２は、下端で中空の支柱２の壁部分に載り、この壁に内側から接する固定部３２ａを有する。固定部３２ａは、平板形状で連結部３２の下端から突き出し、支柱２内に差し込まれてネジ固定される。
【００３１】
手載固定部３３は、図１（ｂ）に示されるように、断面がハニカム構造等のように隙間の多い構造に形成され、軽量化が図られている。また、手載固定部３３は、底部が連結部３２上に載り、連結部３２にネジ３２ｂで固定される。手載部３１は、手載固定部３３が連結部３２上にネジ３３ａで固定された後で、横側から上記の板状部分が手載固定部３３を収容するように押し込まれ、位置合わせ後にキャップ３１aで塞がれるように取り付けられるのでもよい。
【実施例２】
【００３２】
次に、本発明の実施例２に係るベランダ用手摺について説明する。
図５（ａ）は、本発明の実施例２に係るベランダ用手摺の正面図である。同図（ｂ）は、前図（ａ）のＣ−Ｃ線断面図である。同図（ｃ）は、前図（ａ）のＤ−Ｄ線断面図である。同図（ｄ）は、本発明の実施例２に係るベランダ用手摺の模式的配線図である。
尚、説明の都合上、先に説明した実施例１と同一構成部分については同一符号を付してその説明を省略する。
実施例２に係るベランダ用手摺４１は、図１に示した実施例１に係る前記ベランダ用手摺を改良したものであり、太陽電池パネル４２及び太陽電池パネル４２を支持するフレーム４３を有する手摺パネル４４と、手摺パネル４４の左右側方から手摺パネル４４の左右側部を支持する左右支柱４５，４６と、手摺パネル４４の上方に配置され、左右支柱４５，４６の上部に架設される手摺パイプ４７とを備えるベランダ用手摺である。
【００３３】
即ち、実施例１に係る前記ベランダ用手摺は、手摺パネル（図１に於いて１）が、手摺パネルを支持する一対のパネル支持ブラケット（図１に於いて２１）及び支柱固定ブラケット（図１に於いて１２ｃ）を介して支柱（図１に於いて２）に着脱可能に設けられるが、実施例２に係るベランダ用手摺４１は、パネル支持ブラケット及び支柱固定ブラケットを介することなく、手摺パネル４４が、左右支柱４５，４６に直接支持されるものであり、また、左右支柱４５，４６は、手摺パネル４４を手摺パネル４４の左右側方から支持するものである。
【００３４】
従って、手摺パネル４４と、左右支柱４５，４６と、手摺パイプ４７とは、略同一面に配設されることになり、実施例２に係るベランダ用手摺４１は実施例１に係る前記ベランダ用手摺が図１（ｂ）に示す如く手摺パネル（図１に於いて１）と、支柱固定ブラケットと、支柱とを合わせた厚みであるのに比較して、図５（ｂ）に示す如く左右支柱４５，４６のうちの一本の支柱の厚みの中に、手摺パネル４４が配設されるので、厚みが薄くなり、コンパクトに形成されると共に、実施例１で用いられる支柱固定ブラケットが不要であるため、軽量化が可能となる。
【００３５】
また、実施例１に係るベランダ用手摺では、傾斜連結部（図１に於いて３２）を設けて手載部（図１に於いて３１）を手摺パネルから所定寸法離間させる必要があったが、実施例２に係るベランダ用手摺４１は、手摺パイプ４７が手摺パネル４４の上方に配置され、左右支柱４５，４６の上部に架設されるため、傾斜連結部も不要であり、その分、軽量化が可能であると共に、傾斜連結部による支柱の拡幅もないので、コンパクトになり、ベランダを広く使える利点がある。
【００３６】
尚、太陽電池パネル４２をフレーム４３で支持する方法は、実施例１の太陽電池パネル（図１に於いて１１）をフレーム（図１に於いて１２）で保持する方法と同様であるが、実施例２のベランダ用手摺４１に於いては、実施例１の化粧プレート（図１に於いて１２ｂ）がなくても良い。
また、手摺パネル４４の左右側部を左右支柱４５，４６で支持する方法は、ネジ止め、またはボルトナット止め等による固定方法で行なわれる。
但し、実施例１のパネル支持ブラケット（図１に於いて２１）等を用いて手摺パネル４４の左右側部を左右支柱４５，４６に取り外し可能に支持させても良い。
【００３７】
更に、太陽電池パネル４２の構成は、実施例１の太陽電池パネル（図１に於いて１１）と同様であり、太陽電池パネル４２の太陽電池アレイ部４７の構成も、実施例１の太陽電池アレイ部（図１に於いて１１ｂ）と同様に、図５（ｄ）に示すごとく、透光性パネル４７ａ内で、市販のシリコン系素子等からなる太陽電池素子４７ｂが透明電極４７ｃを介して直列に接続され、コネクタ４７ｄ側に電気的に接続され、交換可能のユニットとして構成されている。
【産業上の利用可能性】
【００３８】
本発明によるベランダ用手摺は、戸建て、集合住宅等のバルコニーやベランダに於いて太陽光発電が可能であると共に、ベランダ用またはフェンス用手摺として使用可能であり、且つ、施工またはメンテナンスにおける利便性の向上が可能な太陽電池パネルを備えたベランダ用手摺を提供することができる。
また、戸建て、集合住宅等のバルコニーやベランダに於いて太陽光発電が可能であると共に、ベランダ用またはフェンス用手摺として使用可能であり、且つ、コンパクト化と軽量化が図れる太陽電池パネルを備えたベランダ用手摺を提供することができる。
従って、これらの手摺を製造する建築業、住宅産業、半導体製造業等において利用可能であり、このような製品の有用性を増進する。
【符号の説明】
【００３９】
１  手摺パネル
２  支柱
３  手摺パイプ
１１  太陽電池パネル
１２  フレーム
４１  ベランダ用手摺
４２  太陽電池パネル
４３  フレーム
４４  手摺パネル
４５  左支柱
４６  右支柱
４７  手摺パイプ
【図１】
2010203217.tif 000003
【図２】
2010203217.tif 000004
【図３】
2010203217.tif 000005
【図４】
2010203217.tif 000006
【図５】
2010203217.tif 000007